(57)【要約】【課題】穴開け体内に突刺して抱込まれた畠の土を、上方から強目に押圧して固め、そのまま持上げて確実簡単に抱込んだ土を持上げることができ、振るか押すだけで筒状体の土を容易に放出できる植付け用穴明け器を提供する。【解決手段】上方に上方開口部を有し、且下方にビニールカット用刃部を開口周縁部に形成せしめる下方開口部を有する穴開け体と、孔開け体の上方開口部に、孔付握持部を取着し、握持部の孔より前記穴開け体内に操作杆を挿入し、穴開け体に嵌挿せしめた押圧板と操作杆とを前記操作杆を前記押圧板より突出せしめて接続し、且押圧板に複数のビニール片キャッチ部を突設せしめると共に、操作杆の上端部につまみ部を取着せしめた。【選択図】    図４
0003124773.tif 000002
【実用新案登録請求の範囲】
【請求項１】
上方に上方開口部を有し、且下方にビニールカット用刃部を開口周縁部に形成せしめる下方開口部を有する穴開け体と、前記孔開け体の上方開口部に、孔付握持部を取着し、前記握持部の孔より前記穴開け体内に操作杆を挿入し、前記穴開け体に嵌挿せしめた押圧板と前記操作杆とを前記操作杆を前記押圧板より突出せしめて接続し、且前記押圧板に複数のビニール片キャッチ部を突設せしめると共に、前記操作杆の上端部につまみ部を取着せしめることを特徴とする植付け用穴明け器。
【請求項２】
前記穴開け体が、筒状にして、且前記握持部が湾曲形状であり、前記押圧板が円形状であることを特徴とする請求項１記載の植付け用穴開け器。
【請求項３】
前記押圧板より突設する前記操作杆と前記ビニール片キャッチ部の先端部が、前記穴開け本体のカット用刃部よりも突出しないことを特徴とする請求項１又は２記載の植付け用穴開け器。
【考案の詳細な説明】
【技術分野】
【０００１】
本考案は、植付け用穴開け器の技術分野に関するものである。
【背景技術】
【０００２】
従来、ビニールを被覆した畝に野菜苗、花苗、球根等の植付け用穴開け器として、実用新案登録第３１０７２７８号の登録実用新案公報が開示されている。
【０００３】
前記開示の登録実用新案公報の考案の穴堀り器は、畠Ｂに挿込み抱込んだ土壌ｂを放出するのに、操作部２を操作して半筒体１２ａ、１２ｂを開閉せしめ処理する手法がとられている。そのため、土壌を分離させる機構が複雑であった。
【０００４】
さらに、前記開示の登録実用新案公報の考案は、切断フィルム片ａを突刺するフィルム保持杆３１が一本しか取着されていない機構である。そのため切断フィルムａは、ぐにゃぐにゃした状態で垂れ下がり、一枚宛抜きながら作業をせざるを得なかった。
【０００５】
また前記開示の登録実用新案公報の考案は、筒状体が一体となったものではない。
【０００６】
さらに前記文献の実用新案登録第３１０７２７８号実用新案公報は、半筒体１２ａ、１２ｂの内側に、畠の土に刺込んだ際に、挿込まれた土を固める機構はない。
【特許文献１】実用新案登録第３１０７２７８号実用新案公報
【考案の開示】
【考案が解決しようとする課題】
【０００７】
しかるに、本考案は、穴開け体内に突刺して抱込まれた畠の土を、上方から強目に押圧して固めてやり、そのまま持上げて確実に極めて簡単に抱込んだ土を持上げることができる。そのため本考案の穴掘り器をそのまま振るか、あるいはつかみ部を押すだけで筒状体に抱込まれてる土を容易に放出離脱することができるようにした。
【０００８】
さらに本考案の穴堀り器は、カットしたビニール片の複数枚が垂れ下がることなく、確実にキャッチしておくことができると共に、一々カットしたビニール片を除去することもなく、作業性を極めて良好にした。
【０００９】
また本考案の穴掘り器は、使用中は勿論、不使用中でもカットしたビニール片をキャッチするキャッチ部によって手指等が引掛ることを未然に防止した。
【考案の効果】
【００１０】
本考案の植付け用穴開け器の請求項１記載の考案は、上方に上方開口部を有し、且下方にビニールカット用刃部を開口周縁部に形成せしめる下方開口部を有する穴開け体と、前記孔開け体の上方開口部に、孔付握持部を取着し、前記握持部の孔より前記穴開け体内に操作杆を挿入し、前記穴開け体に嵌挿せしめた押圧板と前記操作杆とを前記操作杆を前記押圧板より突出せしめて接続し、且前記押圧板に複数のビニール片キャッチ部を突設せしめると共に、前記操作杆の上端部につまみ部を取着せしめる植付け用穴明け器なので、穴開け本体内に抱込んだ土を押し固めて確実に取り出し、放出するときもつかみ部を押すか、もしくは穴開け器を軽く振るだけで抱込んだ土を外部に放出せしめることができる利点を有している。
【００１１】
さらに本考案は、穴開け時にカットされたビニール片を複数のキャッチ部によって確実に複数枚のビニール片を突刺し固定しておくことができる。
【００１２】
そのため、突刺したビニール片を一枚宛抜き取ったりする煩雑さはなく、複数枚を一回の抜き取り作業で可能にした。従って穴掘り作業の能率を著しく高める利点を有している。
【００１３】
請求項２記載の植付け用穴開け器は、前記穴開け体が、筒状にして、且前記握持部が湾曲形状であり、前記押圧板が円形状である植付け用穴開け器なので、畠の穴を円筒状に確実に開けることができる利点を有している。
【００１４】
さらに本考案は、請求項１記載の考案と同じ効果を有している。
【００１５】
さらに請求項３記載の植付け用穴開け器は、前記押圧板より突設する前記操作杆と前記ビニール片キャッチ部の先端部が、前記穴開け本体のカット用刃部よりも突出しない植付け用穴開け器なので、使用時もしくは不使用時において、手指等が引掛って怪我等をするおそれはない。
【００１６】
そのため安全に作業を行うことができる利点を有している。
【００１７】
また本考案は請求項１又は同２記載の考案と同じ効果を有している。
【考案を実施するための最良の形態】
【００１８】
本考案の請求項１〜３記載の考案に関する実施の形態は、共通しているので以下のとおり一括して説明する。
【００１９】
図においてＡは本考案の植付け用穴開け器であり以下の構成からなっている。
【００２０】
本考案の穴開け器Ａは、穴開け体ａと握持部ｂと操作杆ｃと押圧板ｄとキャッチ部ｅとつかみ部ｆとの部材からなっている。以下各構成部材の実施の形態を説明する。
【００２１】
前記穴明け体ａは、通常金属板製とし、且横断面が円形状をしており、上方に上方開口部１を有し、下方には下方開口部２を有する。そして前記下方開口部２に鋸刃形状のビニールカット用刃部３を一体に形成する。４は穴開け体ａの側壁面部５に形成した補強用リブである。さらに本考案における前記穴明け体ａの径は限定しない。
【００２２】
つぎに握持部ｂの実施の形態について説明する。
【００２３】
この握持部ｂは、湾曲状に折曲せしめた左側端部６と右側端部７とを前記穴開け体ａの上方開口部１に取着する。そして前記握持部ｂの頂部８に孔９を設ける。そして前記孔９に貫通孔１１を設けたカラー部１０嵌め込んでやる。
【００２４】
さらに操作杆ｃは、頭部１２から先端部１３までの全長が、前記握持部ｂの頂部８から刃部３までの高さより若干短目に形成する。仮に操作杆ｃの長さが長いと、尖状となっている先端部１３が刃部３より飛出し、手指等が引掛り怪我をするおそれがあるので短く形成する。
【００２５】
前記操作杆ｃは、前記カラー部１０の貫通孔１１に貫通せしめ、前記穴開け体ａ内に水平状に嵌挿する押圧板ｄの中央部より所定の長さだけ突出せしめ組立てる。前記押圧板ｄより突出する操作杆ｃの先端部１３は、刃部３によってカットされたビニール片１５の中央部分を突刺する機能を有している。さらに操作杆ｃの下方部はネジ１４を刻設する。そして前記操作杆ｃの頭部１２につかみ部ｆを固着する。
【００２６】
つぎに押圧板ｄにつき説明する。この押圧板ｄの中央部より前記操作杆ｃを所定の長さだけ突出する。前記のように押圧板ｄの中央部より突出する操作杆ｃを固定するため、前記押圧板ｄの上方部と下方部にナット１６で前記操作杆ｃと押圧板ｄとを固定する。
【００２７】
さらに前記押圧板ｄには、刃部３によってカットされたビニール片１５を突刺し同時にキャッチするキャッチ部ｅを複数本前記操作杆ｃの先端部１３より垂直状に取着する。
【００２８】
前記キャッチ部ｅは、尖状にしてネジ１７が設けられた釘状のものを、前記押圧板ｄに通常２本固着するが限定しない。
【００２９】
１８はビニール１９を被せた畝である。２０は本考案の穴開け器Ａによって開けられた植付け用穴である。２１は苗、２２は開けられた穴２０の土である。
【００３０】
上記の構成からなっている植込み用穴開け器Ａを使用するには以下のようにする。
【００３１】
本考案の穴開け器Ａを所定位置のビニール１５が張られている畝１８に対し、手指によって握持されている握持部ｂを図３のように挿込んでやる。
【００３２】
その際カットされたビニール片１５が、操作杆ｃの先端部１３とキャッチ部ｅの先端部に突刺され、前記押圧板ｄの裏面部に付着する。
【００３３】
前記のように穴開け器Ａが畝１８に挿込まれた段階で、つかみ部ｆを強く押圧して前記穴開け体ａ内の土２２を押し固めてやる。
【００３４】
前記の操作手順後、穴開け器Ａを持ち上げると、押し固められた土２２が前記穴開け体ａ内に入ったまま前記穴開け体ａ持上げると穴２０が開けられる。
【００３５】
前記のようにすくい上げられた本考案穴開け器Ａを軽く振ると、土２２が排出される。
【００３６】
しかし土２２が排出しにくいときは、つかみ部ｆを下方向に押して、押圧板ｄを降下させる。すると土２２も比例して押し下げられるので、容易に排出される。
【００３７】
２３は穴開け体ａの下方開口部２に被せたカバーである。
【図面の簡単な説明】
【００３８】
【図１】本考案植付け用穴開け器の正面図である。
【００３９】
【図２】同縦断正面図である。
【００４０】
【図３】同穴開け器を畝に挿込んだときの縦断面図である。
【００４１】
【図４】同穴開け器を図３の状態からつかみ部を押圧し土を押し固めた状態の縦断面図である。
【００４２】
【図５】図穴開け器から排した土と取出したビニールを示す縦断面図である。
【００４３】
【図６】開けられた畝の拡大縦断面図である。
【００４４】
【図７】畝に開けられた穴に苗を挿入する状態の縦断面図である。
【００４５】
【図８】図７に開けられた畝の平面図である。
【符号の説明】
【００４６】
Ａ        穴開け器
ａ        穴開け体
ｂ        握持部
ｃ        操作杆
ｄ        押圧板
ｅ        キャッチ部
ｆ        つかみ部
１        上方開口部
２        下方開口部
３        刃部
４        リブ
５        側壁面部
６        左側端部
７        右側端部
８        頂部
９        孔
１０      カラー部
１１      貫通孔
１２      頭部
１３      先端部
１４      ネジ
１５      ビニール片
１６      ナット
１７      ネジ
１８      畝
１９      ビニール
２０      畝
２１      苗
２２      土
２３      カバー
【図１】
0003124773.tif 000003
【図２】
0003124773.tif 000004
【図３】
0003124773.tif 000005
【図４】
0003124773.tif 000006
【図５】
0003124773.tif 000007
【図６】
0003124773.tif 000008
【図７】
0003124773.tif 000009
【図８】
0003124773.tif 000010
【手続補正書】
【提出日】平成18年6月23日(2006.6.23)
【手続補正１】
【補正対象書類名】実用新案登録請求の範囲
【補正対象項目名】全文
【補正方法】変更
【補正の内容】
【実用新案登録請求の範囲】
【請求項１】
上方に上方開口部を有し、且下方にビニールカット用刃部を開口周縁部に形成せしめる下方開口部を有する穴開け体と、前記穴開け体の上方開口部に、孔付握持部を取着し、前記孔付握持部の孔より前記穴開け体内に操作杆を挿入し、前記穴開け体に嵌挿せしめた押圧板と前記操作杆とを前記操作杆を前記押圧板より突出せしめて接続し、且前記押圧板に複数のビニール片キャッチ部を突設せしめると共に、前記操作杆の上端部につまみ部を取着せしめることを特徴とする植付け用穴明け器。
【請求項２】
前記穴開け体が、筒状にして、且前記孔付握持部が湾曲形状であり、前記押圧板が円形状であることを特徴とする請求項１記載の植付け用穴開け器。
【請求項３】
前記押圧板より突設する前記操作杆と前記ビニール片キャッチ部の先端部が、前記穴開け体のカット用刃部よりも突出しないことを特徴とする請求項１又は２記載の植付け用穴開け器。
【手続補正２】
【補正対象書類名】明細書
【補正対象項目名】全文
【補正方法】変更
【補正の内容】
【考案の詳細な説明】
【技術分野】
【０００１】
本考案は、植付け用穴開け器の技術分野に関するものである。
【背景技術】
【０００２】
従来、ビニールを被覆した畝に野菜苗、花苗、球根等の植付け用穴開け器として、実用新案登録第３１０７２７８号の登録実用新案公報が開示されている。
【０００３】
前記開示の登録実用新案公報の考案の穴堀り器は、畠Ｂに挿込み抱込んだ土壌ｂを放出するのに、操作部２を操作して半筒体１２ａ、１２ｂを開閉せしめ処理する手法がとられている。そのため、土壌を分離させる機構が複雑であった。
【０００４】
さらに、前記開示の登録実用新案公報の考案は、切断フィルム片ａを突刺するフィルム保持杆３１が一本しか取着されていない機構である。そのため切断フィルムａは、ぐにゃぐにゃした状態で垂れ下がり、一枚宛抜きながら作業をせざるを得なかった。
【０００５】
また前記開示の登録実用新案公報の考案は、筒状体が一体となったものではない。
【０００６】
さらに前記文献の実用新案登録第３１０７２７８号実用新案公報は、半筒体１２ａ、１２ｂの内側に、畠の土に刺込んだ際に、挿込まれた土を固める機構はない。
【特許文献１】実用新案登録第３１０７２７８号実用新案公報
【考案の開示】
【考案が解決しようとする課題】
【０００７】
しかるに、本考案は、穴開け体内に突刺して抱込まれた畠の土を、上方から強目に押圧して固めてやり、そのまま持上げて確実に極めて簡単に抱込んだ土を持上げることができる。そのため本考案の穴掘り器をそのまま振るか、あるいはつかみ部を押すだけで筒状体に抱込まれてる土を容易に放出離脱することができるようにした。
【０００８】
さらに本考案の穴堀り器は、カットしたビニール片の複数枚が垂れ下がることなく、確実にキャッチしておくことができると共に、一々カットしたビニール片を除去することもなく、作業性を極めて良好にした。
【０００９】
また本考案の穴掘り器は、使用中は勿論、不使用中でもカットしたビニール片をキャッチするキャッチ部によって手指等が引掛ることを未然に防止した。
【課題を解決するための手段】
【００１０】
上記課題を解決する手段として、請求項１記載の植付け用穴開け器は、上方に上方開口部を有し、且下方にビニールカット用刃部を開口周縁部に形成せしめる下方開口部を有する穴開け体と、前記穴開け体の上方開口部に、孔付握持部を取着し、前記孔付握持部の孔より前記穴開け体内に操作杆を挿入し、前記穴開け体に嵌挿せしめた押圧板と前記操作杆とを前記操作杆を前記押圧板より突出せしめて接続し、且前記押圧板に複数のビニール片キャッチ部を突設せしめると共に、前記操作杆の上端部につまみ部を取着せしめることを特徴とする植付け用穴明け器である。
【００１１】
請求項２記載の植付け用穴開け器は、前記穴開け体が、筒状にして、且前記孔付握持部が湾曲形状であり、前記押圧板が円形状であることを特徴とする請求項１記載の植付け用穴開け器である。
【００１２】
請求項３木際の植付け用穴開け器は、前記押圧板より突設する前記操作杆と前記ビニール片キャッチ部の先端部が、前記穴開け体のカット用刃部よりも突出しないことを特徴とする請求項１又は２記載の植付け用穴開け器である。
【考案の効果】
【００１３】
本考案の植付け用穴開け器の請求項１記載の考案は、上方に上方開口部を有し、且下方にビニールカット用刃部を開口周縁部に形成せしめる下方開口部を有する穴開け体と、前記穴開け体の上方開口部に、孔付握持部を取着し、前記孔付握持部の孔より前記穴開け体内に操作杆を挿入し、前記穴開け体に嵌挿せしめた押圧板と前記操作杆とを前記操作杆を前記押圧板より突出せしめて接続し、且前記押圧板に複数のビニール片キャッチ部を突設せしめると共に、前記操作杆の上端部につまみ部を取着せしめることを特徴とする植付け用穴明け器なので、穴開け本体内に抱込んだ土を押し固めて確実に取り出し、放出するときもつかみ部を押すか、もしくは穴開け器を軽く振るだけで抱込んだ土を外部に放出せしめることができる利点を有している。
【００１４】
さらに本考案は、穴開け時にカットされたビニール片を複数のキャッチ部によって確実に複数枚のビニール片を突刺し固定しておくことができる。
【００１５】
そのため、突刺したビニール片を一枚宛抜き取ったりする煩雑さはなく、複数枚を一回の抜き取り作業で可能にした。従って穴掘り作業の能率を著しく高める利点を有している。
【００１６】
請求項２記載の植付け用穴開け器は、前記穴開け体が、筒状にして、且前記孔付握持部が湾曲形状であり、前記押圧板が円形状である植付け用穴開け器なので、畠の穴を円筒状に確実に開けることができる利点を有している。
【００１７】
さらに本考案は、請求項１記載の考案と同じ効果を有している。
【００１８】
さらに請求項３記載の植付け用穴開け器は、前記押圧板より突設する前記操作杆と前記ビニール片キャッチ部の先端部が、前記穴開け体のカット用刃部よりも突出しない植付け用穴開け器なので、使用時もしくは不使用時において、手指等が引掛って怪我等をするおそれはない。
【００１９】
そのため安全に作業を行うことができる利点を有している。
【００２０】
また本考案は請求項１又は同２記載の考案と同じ効果を有している。
【考案を実施するための最良の形態】
【００２１】
本考案の請求項１〜３記載の考案に関する実施の形態は、共通しているので以下のとおり一括して説明する。
【００２２】
図においてＡは本考案の植付け用穴開け器であり以下の構成からなっている。
【００２３】
本考案の穴開け器Ａは、穴開け体ａと握持部ｂと操作杆ｃと押圧板ｄとキャッチ部ｅとつかみ部ｆとの部材からなっている。以下各構成部材の実施の形態を説明する。
【００２４】
前記穴明け体ａは、通常金属板製とし、且横断面が円形状をしており、上方に上方開口部１を有し、下方には下方開口部２を有する。そして前記下方開口部２に鋸刃形状のビニールカット用刃部３を一体に形成する。４は穴開け体ａの側壁面部５に形成した補強用リブである。さらに本考案における前記穴明け体ａの径は限定しない。
【００２５】
つぎに握持部ｂの実施の形態について説明する。
【００２６】
この握持部ｂは、湾曲状に折曲せしめた左側端部６と右側端部７とを前記穴開け体ａの上方開口部１に取着する。そして前記握持部ｂの頂部８に孔９を設ける。そして前記孔９に貫通孔１１を設けたカラー部１０嵌め込んでやる。
【００２７】
さらに操作杆ｃは、頭部１２から先端部１３までの全長が、前記握持部ｂの頂部８から刃部３までの高さより若干短目に形成する。仮に操作杆ｃの長さが長いと、尖状となっている先端部１３が刃部３より飛出し、手指等が引掛り怪我をするおそれがあるので短く形成する。
【００２８】
前記操作杆ｃは、前記カラー部１０の貫通孔１１に貫通せしめ、前記穴開け体ａ内に水平状に嵌挿する押圧板ｄの中央部より所定の長さだけ突出せしめ組立てる。前記押圧板ｄより突出する操作杆ｃの先端部１３は、刃部３によってカットされたビニール片１５の中央部分を突刺する機能を有している。さらに操作杆ｃの下方部はネジ１４を刻設する。そして前記操作杆ｃの頭部１２につかみ部ｆを固着する。
【００２９】
つぎに押圧板ｄにつき説明する。この押圧板ｄの中央部より前記操作杆ｃを所定の長さだけ突出する。前記のように押圧板ｄの中央部より突出する操作杆ｃを固定するため、前記押圧板ｄの上方部と下方部にナット１６で前記操作杆ｃと押圧板ｄとを固定する。
【００３０】
さらに前記押圧板ｄには、刃部３によってカットされたビニール片１５を突刺し同時にキャッチするキャッチ部ｅを複数本前記操作杆ｃの先端部１３より垂直状に取着する。
【００３１】
前記キャッチ部ｅは、尖状にしてネジ１７が設けられた釘状のものを、前記押圧板ｄに通常２本固着するが限定しない。
【００３２】
１８はビニール１９を被せた畝である。２０は本考案の穴開け器Ａによって開けられた植付け用穴である。２１は苗、２２は開けられた穴２０の土である。
【００３３】
上記の構成からなっている植込み用穴開け器Ａを使用するには以下のようにする。
【００３４】
本考案の穴開け器Ａを所定位置のビニール１５が張られている畝１８に対し、手指によって握持されている握持部ｂを図３のように挿込んでやる。
【００３５】
その際カットされたビニール片１５が、操作杆ｃの先端部１３とキャッチ部ｅの先端部に突刺され、前記押圧板ｄの裏面部に付着する。
【００３６】
前記のように穴開け器Ａが畝１８に挿込まれた段階で、つかみ部ｆを強く押圧して前記穴開け体ａ内の土２２を押し固めてやる。
【００３７】
前記の操作手順後、穴開け器Ａを持ち上げると、押し固められた土２２が前記穴開け体ａ内に入ったまま前記穴開け体ａ持上げると穴２０が開けられる。
【００３８】
前記のようにすくい上げられた本考案穴開け器Ａを軽く振ると、土２２が排出される。
【００３９】
しかし土２２が排出しにくいときは、つかみ部ｆを下方向に押して、押圧板ｄを降下させる。すると土２２も比例して押し下げられるので、容易に排出される。
【００４０】
２３は穴開け体ａの下方開口部２に被せたカバーである。
【図面の簡単な説明】
【００４１】
【図１】本考案植付け用穴開け器の正面図である。
【００４２】
【図２】同縦断正面図である。
【００４３】
【図３】同穴開け器を畝に挿込んだときの縦断面図である。
【００４４】
【図４】同穴開け器を図３の状態からつかみ部を押圧し土を押し固めた状態の縦断面図である。
【００４５】
【図５】図穴開け器から排した土と取出したビニールを示す縦断面図である。
【００４６】
【図６】開けられた畝の拡大縦断面図である。
【００４７】
【図７】畝に開けられた穴に苗を挿入する状態の縦断面図である。
【００４８】
【図８】図７に開けられた畝の平面図である。
【符号の説明】
【００４９】
Ａ        穴開け器
ａ        穴開け体
ｂ        孔付握持部
ｃ        操作杆
ｄ        押圧板
ｅ        キャッチ部
ｆ        つかみ部
１        上方開口部
２        下方開口部
３        刃部
４        リブ
５        側壁面部
６        左側端部
７        右側端部
８        頂部
９        孔
１０      カラー部
１１      貫通孔
１２      頭部
１３      先端部
１４      ネジ
１５      ビニール片
１６      ナット
１７      ネジ
１８      畝
１９      ビニール
２０      畝
２１      苗
２２      土
２３      カバー